(57)【要約】【課題】本発明は、素材搬入事業者のシステムを介した作業の効率を高めることを課題とする。【解決手段】本発明は、少なくともＣＭ識別情報を含むＣＭメタ情報を記憶するとともに、記憶しているＣＭメタ情報を承認する入力を受付け、承認されたＣＭメタ情報をＣＭ管理システムに登録する管理部１０と、ＣＭ管理システムから登録済みのＣＭメタ情報を削除する削除指示の入力を受付ける削除指示受付部２０と、管理部１０が削除指示の対象のＣＭメタ情報に関連して、ＣＭメタ情報を承認する入力を受付け、承認されたＣＭメタ情報をＣＭ管理システムに登録する処理を実行済みか否か、を示す第１のステータスを示す情報を取得するステータス取得部３０と、ＣＭ管理システムに削除指示を送信する処理、及び、第１のステータスに応じた処理を実行する削除処理実行部４０と、を有する処理装置１を提供する。【選択図】図２
2019140639.tif 000002
【特許請求の範囲】
【請求項１】
少なくともＣＭ（commercial message）識別情報を含むＣＭメタ情報を記憶するＣＭメタ情報管理手段と、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段と、
前記ＣＭ管理システムから登録済みの前記ＣＭメタ情報を削除する削除指示の入力を受付ける削除指示受付手段と、
前記メタ承認管理手段が前記削除指示の対象の前記ＣＭメタ情報に関連した処理を実行済みか否か、を示す第１のステータスを示す情報を取得するステータス取得手段と、
前記ＣＭ管理システムに前記削除指示を送信する処理、及び、前記第１のステータスに応じた処理を実行する削除処理実行手段と、
を有する処理装置。
【請求項２】
請求項１に記載の処理装置において、
前記削除処理実行手段は、前記第１のステータスが実行済みである場合、前記第１のステータスを未実行に変更する処理装置。
【請求項３】
請求項２に記載の処理装置において、
前記削除処理実行手段は、前記第１のステータスが実行済みである場合、前記第１のステータスが未実行に変更される旨を示すメッセージを出力する処理装置。
【請求項４】
請求項１から３のいずれか１項に記載の処理装置において、
前記ＣＭ識別情報に対応するＣＭ素材を取得し、該ＣＭ素材を前記ＣＭ識別情報に対応付けて記憶する素材管理手段と、
前記素材管理手段に記憶されている前記ＣＭ素材を承認する入力を受付ける素材承認管理手段と、
を有し、
前記ステータス取得手段は、前記素材承認管理手段が前記削除指示の対象の前記ＣＭメタ情報に関連した処理を実行済みか否か、を示す第２のステータスを示す情報を取得し、
前記削除処理実行手段は、前記第２のステータスに応じた処理を実行する手段を有する処理装置。
【請求項５】
請求項４に記載の処理装置において、
前記削除処理実行手段は、前記第２のステータスが実行済みである場合、前記第２のステータスを未実行に変更する処理装置。
【請求項６】
請求項５に記載の処理装置において、
前記削除処理実行手段は、前記第２のステータスが実行済みである場合、前記第２のステータスが未実行に変更される旨を示すメッセージを出力する処理装置。
【請求項７】
請求項４から６のいずれか１項に記載の処理装置において、
承認された前記ＣＭ素材を送受信サーバに搬入する搬入指示を受付ける処理、及び、前記搬入指示に従い前記ＣＭ素材を前記送受信サーバに搬入する処理を実行する搬入管理手段を有し、
前記ステータス取得手段は、前記搬入管理手段が前記削除指示の対象の前記ＣＭメタ情報に関連した処理を実行済みか否か、を示す第３のステータスを示す情報を取得し、
前記削除処理実行手段は、前記第３のステータスに応じた処理を実行する手段を有する処理装置。
【請求項８】
請求項７に記載の処理装置において、
前記削除処理実行手段は、前記第３のステータスが実行済みである場合、前記第３のステータスを未実行に変更する処理装置。
【請求項９】
請求項８に記載の処理装置において、
前記削除処理実行手段は、前記第３のステータスが実行済みである場合、前記第３のステータスが未実行に変更される旨を示すメッセージを出力する処理装置。
【請求項１０】
請求項１から９のいずれか１項に記載の処理装置において、
前記ＣＭ識別情報に対応付けて広告会社を指定する入力を受付ける処理、及び、前記ＣＭ識別情報と前記広告会社とを対応付けて前記ＣＭ管理システムに登録する処理を実行する広告会社管理手段を有し、
前記ステータス取得手段は、前記広告会社管理手段が前記削除指示の対象の前記ＣＭメタ情報に関連した処理を実行済みか否か、を示す第４のステータスを示す情報を取得し、
前記削除処理実行手段は、前記第４のステータスに応じた処理を実行する手段を有する処理装置。
【請求項１１】
請求項１０に記載の処理装置において、
前記削除処理実行手段は、前記第４のステータスが実行済みである場合、前記第４のステータスを未実行に変更する処理装置。
【請求項１２】
請求項１１に記載の処理装置において、
前記削除処理実行手段は、前記第４のステータスが実行済みである場合、前記第４のステータスが未実行に変更される旨を示すメッセージを出力する処理装置。
【請求項１３】
請求項１から１２のいずれか１項に記載の処理装置において、
前記ＣＭメタ情報管理手段は、前記削除指示受付手段が前記削除指示を受付けても、前記削除指示の対象の前記ＣＭメタ情報を記憶し続ける処理装置。
【請求項１４】
請求項１３に記載の処理装置において、
前記削除指示受付手段が前記削除指示の入力を受付けても、前記ＣＭメタ情報管理手段は前記削除指示の対象の前記ＣＭメタ情報を記憶し続ける旨を示すメッセージを出力する処理装置。
【請求項１５】
請求項１から１４のいずれか１項に記載の処理装置において、
前記ＣＭ識別情報に対応付けてＣＭ素材を記憶する素材管理手段を有し、
前記素材管理手段は、前記削除指示受付手段が前記削除指示を受付けても、前記削除指示の対象の前記ＣＭメタ情報に関連する前記ＣＭ素材を記憶し続ける処理装置。
【請求項１６】
請求項１５に記載の処理装置において、
前記削除指示受付手段が前記削除指示の入力を受付けても、前記素材管理手段は前記削除指示の対象の前記ＣＭメタ情報に関連する前記ＣＭ素材を記憶し続ける旨を示すメッセージを出力する処理装置。
【請求項１７】
少なくともＣＭ識別情報を含むＣＭメタ情報を記憶するＣＭメタ情報管理手段と、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段と、
前記ＣＭ管理システムから登録済みの前記ＣＭメタ情報を削除する削除指示の入力を受付ける削除指示受付手段と、
前記ＣＭ管理システムに前記削除指示を送信する削除処理実行手段と、
を有し、
前記ＣＭメタ情報管理手段は、前記削除指示受付手段が前記削除指示を受付けても、前記削除指示の対象の前記ＣＭメタ情報を記憶し続ける処理装置。
【請求項１８】
請求項１７に記載の処理装置において、
前記ＣＭ識別情報に対応付けてＣＭ素材を記憶する素材管理手段を有し、
前記素材管理手段は、前記削除指示受付手段が前記削除指示を受付けても、前記削除指示の対象の前記ＣＭメタ情報に関連する前記ＣＭ素材を記憶し続ける処理装置。
【請求項１９】
コンピュータが、
少なくともＣＭ識別情報を含むＣＭメタ情報を記憶するＣＭメタ情報管理工程と、
前記ＣＭメタ情報管理工程で記憶された前記ＣＭメタ情報を承認する入力を受付ける処理、及び、承認された前記ＣＭメタ情報をＣＭ管理システムに登録する処理を実行するメタ承認管理工程と、
前記ＣＭ管理システムから登録済みの前記ＣＭメタ情報を削除する削除指示の入力を受付ける削除指示受付工程と、
前記メタ承認管理工程で前記削除指示の対象の前記ＣＭメタ情報に関連した処理を実行済みか否か、を示す第１のステータスを示す情報を取得するステータス取得工程と、
前記ＣＭ管理システムに前記削除指示を送信する処理、及び、前記第１のステータスに応じた処理を実行する削除処理実行工程と、
を実行する処理方法。
【請求項２０】
コンピュータを、
少なくともＣＭ識別情報を含むＣＭメタ情報を記憶するＣＭメタ情報管理手段、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段、
前記ＣＭ管理システムから登録済みの前記ＣＭメタ情報を削除する削除指示の入力を受付ける削除指示受付手段、
前記メタ承認管理手段が前記削除指示の対象の前記ＣＭメタ情報に関連した処理を実行済みか否か、を示す第１のステータスを示す情報を取得するステータス取得手段、
前記ＣＭ管理システムに前記削除指示を送信する処理、及び、前記第１のステータスに応じた処理を実行する削除処理実行手段、
として機能させるプログラム。
【請求項２１】
コンピュータが、
少なくともＣＭ識別情報を含むＣＭメタ情報を記憶するＣＭメタ情報管理工程と、
前記ＣＭメタ情報管理工程で記憶された前記ＣＭメタ情報を承認する入力を受付ける処理、及び、承認された前記ＣＭメタ情報をＣＭ管理システムに登録する処理を実行するメタ承認管理工程と、
前記ＣＭ管理システムから登録済みの前記ＣＭメタ情報を削除する削除指示の入力を受付ける削除指示受付工程と、
前記ＣＭ管理システムに前記削除指示を送信する削除処理実行工程と、
を実行し、
前記削除指示受付工程で前記削除指示を受付けても、前記削除指示の対象の前記ＣＭメタ情報を記憶し続ける処理方法。
【請求項２２】
コンピュータを、
少なくともＣＭ識別情報を含むＣＭメタ情報を記憶するＣＭメタ情報管理手段、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段、
前記ＣＭ管理システムから登録済みの前記ＣＭメタ情報を削除する削除指示の入力を受付ける削除指示受付手段、
前記ＣＭ管理システムに前記削除指示を送信する削除処理実行手段、
として機能させ、
前記ＣＭメタ情報管理手段は、前記削除指示受付手段が前記削除指示を受付けても、前記削除指示の対象の前記ＣＭメタ情報を記憶し続けるプログラム。
【発明の詳細な説明】
【技術分野】
【０００１】
本発明は、処理装置、処理方法及びプログラムに関する。
【背景技術】
【０００２】
非特許文献１に、テレビＣＭ（commercial message）のオンライン運用に関する技術が開示されている。制作されたＣＭ素材やＣＭメタ情報は、素材搬入事業者のシステム、及び、送稿事業者（協調領域）のシステムを経由して、放送局に搬入される。
【先行技術文献】
【非特許文献】
【０００３】
【非特許文献１】一般社団法人日本広告業協会、“ＴＶＣＭオンライン情報  ポータルＷＥＢページ”、［online］、２０１７年１０月２６日、［２０１８年１月１５日検索］、インターネット<URL: https://www.jaaa.ne.jp/2017/10/5240/>
【発明の概要】
【発明が解決しようとする課題】
【０００４】
素材搬入事業者のシステムは、送稿事業者（協調領域）のシステムと連携する必要がある。そして、素材搬入事業者のシステムは、当該要件を満たしつつ、素材搬入事業者のシステムを介した作業の効率を高める機能が求められる。
【課題を解決するための手段】
【０００５】
本発明によれば、
少なくともＣＭ識別情報を含むＣＭメタ情報を記憶するＣＭメタ情報管理手段と、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段と、
前記ＣＭ管理システムから登録済みの前記ＣＭメタ情報を削除する削除指示の入力を受付ける削除指示受付手段と、
前記メタ承認管理手段が前記削除指示の対象の前記ＣＭメタ情報に関連した処理を実行済みか否か、を示す第１のステータスを示す情報を取得するステータス取得手段と、
前記ＣＭ管理システムに前記削除指示を送信する処理、及び、前記第１のステータスに応じた処理を実行する削除処理実行手段と、
を有する処理装置が提供される。
【０００６】
また、本発明によれば、
少なくともＣＭ識別情報を含むＣＭメタ情報を記憶するＣＭメタ情報管理手段と、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段と、
前記ＣＭ管理システムから登録済みの前記ＣＭメタ情報を削除する削除指示の入力を受付ける削除指示受付手段と、
前記ＣＭ管理システムに前記削除指示を送信する削除処理実行手段と、
を有し、
前記ＣＭメタ情報管理手段は、前記削除指示受付手段が前記削除指示を受付けても、前記削除指示の対象の前記ＣＭメタ情報を記憶し続ける処理装置が提供される。
【０００７】
また、本発明によれば、
コンピュータが、
少なくともＣＭ識別情報を含むＣＭメタ情報を記憶するＣＭメタ情報管理工程と、
前記ＣＭメタ情報管理工程で記憶された前記ＣＭメタ情報を承認する入力を受付ける処理、及び、承認された前記ＣＭメタ情報をＣＭ管理システムに登録する処理を実行するメタ承認管理工程と、
前記ＣＭ管理システムから登録済みの前記ＣＭメタ情報を削除する削除指示の入力を受付ける削除指示受付工程と、
前記メタ承認管理工程で前記削除指示の対象の前記ＣＭメタ情報に関連した処理を実行済みか否か、を示す第１のステータスを示す情報を取得するステータス取得工程と、
前記ＣＭ管理システムに前記削除指示を送信する処理、及び、前記第１のステータスに応じた処理を実行する削除処理実行工程と、
を実行する処理方法が提供される。
【０００８】
また、本発明によれば、
コンピュータを、
少なくともＣＭ識別情報を含むＣＭメタ情報を記憶するＣＭメタ情報管理手段、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段、
前記ＣＭ管理システムから登録済みの前記ＣＭメタ情報を削除する削除指示の入力を受付ける削除指示受付手段、
前記メタ承認管理手段が前記削除指示の対象の前記ＣＭメタ情報に関連した処理を実行済みか否か、を示す第１のステータスを示す情報を取得するステータス取得手段、
前記ＣＭ管理システムに前記削除指示を送信する処理、及び、前記第１のステータスに応じた処理を実行する削除処理実行手段、
として機能させるプログラムが提供される。
【０００９】
また、本発明によれば、
コンピュータが、
少なくともＣＭ識別情報を含むＣＭメタ情報を記憶するＣＭメタ情報管理工程と、
前記ＣＭメタ情報管理工程で記憶された前記ＣＭメタ情報を承認する入力を受付ける処理、及び、承認された前記ＣＭメタ情報をＣＭ管理システムに登録する処理を実行するメタ承認管理工程と、
前記ＣＭ管理システムから登録済みの前記ＣＭメタ情報を削除する削除指示の入力を受付ける削除指示受付工程と、
前記ＣＭ管理システムに前記削除指示を送信する削除処理実行工程と、
を実行し、
前記削除指示受付工程で前記削除指示を受付けても、前記削除指示の対象の前記ＣＭメタ情報を記憶し続ける処理方法が提供される。
【００１０】
また、本発明によれば、
コンピュータを、
少なくともＣＭ識別情報を含むＣＭメタ情報を記憶するＣＭメタ情報管理手段、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段、
前記ＣＭ管理システムから登録済みの前記ＣＭメタ情報を削除する削除指示の入力を受付ける削除指示受付手段、
前記ＣＭ管理システムに前記削除指示を送信する削除処理実行手段、
として機能させ、
前記ＣＭメタ情報管理手段は、前記削除指示受付手段が前記削除指示を受付けても、前記削除指示の対象の前記ＣＭメタ情報を記憶し続けるプログラムが提供される。
【発明の効果】
【００１１】
本発明によれば、素材搬入事業者のシステムを介した作業の効率を高めることができる。
【図面の簡単な説明】
【００１２】
【図１】テレビＣＭのオンライン運用に関する技術の全体像の一例を説明するための図である。
【図２】テレビＣＭのオンライン運用に関する技術の処理の流れの一例を説明するための図である。
【図３】ＣＭメタ情報の一例を示す図である。
【図４】ＣＭ管理システムが備えるＣＭメタ情報の運用に関するＡＰＩを説明するための図である。
【図５】ＣＭ管理システムが備えるＣＭメタ情報の運用に関するＡＰＩを説明するための図である。
【図６】本実施形態の処理装置のハードウエア構成の一例を示す図である。
【図７】本実施形態の処理装置の機能ブロック図の一例を示す図である。
【図８】本実施形態の管理部の機能ブロック図の一例を示す図である。
【図９】本実施形態の管理部が管理する情報の一例を模式的に示す図である。
【図１０】本実施形態の処理装置により出力されるメッセージの一例を示す図である。
【図１１】本実施形態の処理装置の処理の流れの一例を示すフローチャートである。
【図１２】本実施形態の処理装置により提供されるＵＩ画面の一例を示す図である。
【図１３】本実施形態の処理装置により提供されるＵＩ画面の一例を示す図である。
【図１４】本実施形態の処理装置により提供されるＵＩ画面の一例を示す図である。
【図１５】本実施形態の処理装置により提供されるＵＩ画面の一例を示す図である。
【図１６】本実施形態の処理装置により提供されるＵＩ画面の一例を示す図である。
【図１７】本実施形態の処理装置により提供されるＵＩ画面の一例を示す図である。
【図１８】本実施形態の処理装置により提供されるＵＩ画面の一例を示す図である。
【図１９】本実施形態の処理装置により提供されるＵＩ画面の一例を示す図である。
【図２０】本実施形態の処理装置により提供されるＵＩ画面の一例を示す図である。
【図２１】本実施形態の処理装置により提供されるＵＩ画面の一例を示す図である。
【図２２】本実施形態の処理装置により提供されるＵＩ画面の一例を示す図である。
【図２３】本実施形態の処理装置により提供されるＵＩ画面の一例を示す図である。
【図２４】本実施形態の処理装置により提供されるＵＩ画面の一例を示す図である。
【図２５】本実施形態の処理装置により提供されるＵＩ画面の一例を示す図である。
【図２６】本実施形態の処理装置により提供されるＵＩ画面の一例を示す図である。
【図２７】本実施形態の処理装置により提供されるＵＩ画面の一例を示す図である。
【図２８】本実施形態の処理装置により提供されるＵＩ画面の一例を示す図である。
【図２９】本実施形態の処理装置により提供されるＵＩ画面の一例を示す図である。
【図３０】本実施形態の処理装置により提供されるＵＩ画面の一例を示す図である。
【発明を実施するための形態】
【００１３】
＜テレビＣＭのオンライン運用に関する技術の全体像＞
まず、図１を用いて、テレビＣＭのオンライン運用に関する技術の全体像の一例を簡単に説明する。処理装置は、素材搬入事業者のシステムである。ＣＭ管理システムは、送稿事業者のシステムである（協調領域）。
【００１４】
広告主は、制作扱い広告会社にＣＭの制作を依頼する。制作扱い広告会社は、依頼に基づき、ＣＭの制作を制作会社（以下、単に「制作会社」という）に依頼する。制作されたＣＭメタ情報及びＣＭ素材は、処理装置に登録される。処理装置は、登録されたＣＭメタ情報をＣＭ管理システムに登録する。
【００１５】
また、広告主は、媒体扱い広告会社にＣＭ素材の搬入を依頼する。媒体扱い広告会社は、依頼に基づき、ＣＭ素材の搬入をＣＭ管理システムに依頼する。ＣＭ管理システムは、依頼に基づき、処理装置にＣＭ素材の搬入を依頼する。そして、処理装置は、依頼に基づき、各放送局に設置された送受信サーバに、ＣＭ素材を搬入する。その後、放送局内に設置された送受信サーバから、放送局の送出設備にＣＭ素材が送稿される。図示するＣＭＡＳは、ＣＭ登録認証サービスを意味する。
【００１６】
次に、図２を用いて、より詳細に処理の流れの一例を説明する。制作扱い広告会社からの依頼に基づきＣＭメタ情報を制作した制作会社は、ＣＭメタ情報を処理装置に登録する（Ｓ１０１、Ｓ１０２）。制作会社は、インターネットを利用して、ＣＭメタ情報を処理装置に登録することができる。例えば、制作会社は、素材搬入事業者が提供するウェブページにアクセスし、素材搬入事業者が提供するシステムにログインする。そして、制作会社は、当該システムが提供する機能を利用して、ＣＭメタ情報の入力及び処理装置への登録等を行う。
【００１７】
ＣＭメタ情報はＣＭ識別情報（例：１０桁コード）を有する。ＣＭ識別情報は、広告主により決定されたものであってもよいし、制作会社により決定されたものであってもよいし、制作扱い広告会社により決定されたものであってもよいし、その他であってもよい。
【００１８】
Ｓ１０３では、制作扱い広告会社は、処理装置に登録されたＣＭメタ情報を閲覧し、内容に問題がなければ承認する。制作扱い広告会社は、インターネットを利用して、ＣＭメタ情報の閲覧及び承認を行うことができる。例えば、制作扱い広告会社は、素材搬入事業者が提供するウェブページにアクセスし、素材搬入事業者が提供するシステムにログインする。そして、制作扱い広告会社は、当該システムが提供する機能を利用して、Ｓ１０１及びＳ１０２で登録されたＣＭメタ情報の閲覧及び承認入力等を行う。制作扱い広告会社は、例えば、ＣＭ識別情報を利用して、所望のＣＭメタ情報を見つけることができる。
【００１９】
Ｓ１０４では、処理装置は、ＣＭ管理システムが提供するメタ登録ＡＰＩ（application programming interface）を介して、Ｓ１０３で承認されたＣＭメタ情報をＣＭ管理システムに送信する。処理装置とＣＭ管理システムは、インターネットを介して互いに通信可能に構成されている。
【００２０】
Ｓ１０５では、ＣＭ管理システムは、処理装置から受信したＣＭメタ情報に含まれるＣＭ識別情報と、予め登録されているＣＭ識別情報とを照合することで、ＣＭメタ情報に含まれるＣＭ識別情報が他のＣＭ識別情報と重複しないかチェックする。そして、重複していない場合、ＣＭ管理システムはそのＣＭメタ情報を登録する。
【００２１】
Ｓ１０６では、制作扱い広告会社は、広告主からの依頼に基づき、媒体扱い広告会社を処理装置に登録する。制作扱い広告会社は、インターネットを利用して、媒体扱い広告会社を処理装置に登録することができる。例えば、制作扱い広告会社は、素材搬入事業者が提供するウェブページにアクセスし、素材搬入事業者が提供するシステムにログインする。そして、制作扱い広告会社は、当該システムが提供する機能を利用して、媒体扱い広告会社の入力及び登録指示等を行う。制作扱い広告会社は、例えばＣＭ識別情報に対応付けて、所定の媒体扱い広告会社を処理装置に登録する。
【００２２】
Ｓ１０７、Ｓ１０８では、処理装置は、ＣＭ管理システムが提供する媒体扱い広告会社登録ＡＰＩを介して、Ｓ１０６で登録された媒体扱い広告会社をＣＭ管理システムに登録する。例えばＣＭ識別情報に対応付けて、所定の媒体扱い広告会社をＣＭ管理システムに登録する。その後、ＣＭ管理システムは、登録された媒体扱い広告会社にその旨を通知する（Ｓ１０９）。なお、ＣＭ管理システムは、電子メール等の手段で、上記通知を行ってもよい。通知される内容には、ＣＭ識別情報が含まれてもよい。
【００２３】
Ｓ１１０、Ｓ１１１では、制作扱い広告会社からの依頼に基づきＣＭ素材を制作した制作会社は、ＣＭ識別情報に対応付けて、ＣＭ素材を処理装置に登録する。制作会社は、インターネットを利用して、ＣＭ素材を処理装置に登録することができる。例えば、制作会社は、素材搬入事業者が提供するウェブページにアクセスし、素材搬入事業者が提供するシステムにログインする。そして、制作会社は、当該システムが提供する機能を利用して、ＣＭ素材のアップロード等を行う。
【００２４】
ＣＭ素材は、コンテンツの動画ファイル及び音声ファイル等を含む。ＣＭ素材の冒頭数フレーム分（クレジット）の画像は、ＣＭ識別情報を示す画像であってもよい。
【００２５】
なお、Ｓ１１０及びＳ１１１の処理は、Ｓ１０６乃至Ｓ１０９の処理の前に行われてもよいし、後に行われてもよい。
【００２６】
Ｓ１１２では、制作扱い広告会社は、処理装置に登録されたＣＭ素材を閲覧し、内容に問題がなければ承認する。制作扱い広告会社は、インターネットを利用して、ＣＭ素材の閲覧及び承認を行うことができる。例えば、制作扱い広告会社は、素材搬入事業者が提供するウェブページにアクセスし、素材搬入事業者が提供するシステムにログインする。そして、制作扱い広告会社は、当該システムが提供する機能を利用して、ＣＭ素材の閲覧及び承認入力（オンライン認証）等を行う。制作扱い広告会社は、例えば、ＣＭ識別情報を利用して、所望のＣＭ素材を見つけることができる。
【００２７】
Ｓ１１３、Ｓ１１４では、処理装置は、ＣＭ管理システムが提供するオンライン認証ＡＰＩを介して、Ｓ１１２でＣＭ素材が承認されたことをＣＭ管理システムに登録する。ＣＭ識別情報に対応付けて、当該登録を行うことができる。そして、ＣＭ管理システムは、ＣＭ素材が承認されたことを媒体扱い広告会社に通知する（Ｓ１１５）。なお、通知内容の中に、承認されたＣＭ素材に対応するＣＭ識別情報が含まれてもよい。
【００２８】
Ｓ１１５の通知を受けた後、媒体扱い広告会社は、放送局に設置された送受信サーバにＣＭ素材を搬入する搬入指示を、ＣＭ管理システムに入力可能になる。媒体扱い広告会社が、当該搬入指示をＣＭ管理システムに入力すると（Ｓ１１６）、ＣＭ管理システムはその搬入指示を処理装置に送信する（Ｓ１１７）。処理装置は、受信した搬入指示に従い、所定のＣＭ素材を所定の放送局に設置された送受信サーバに送信する（Ｓ１１８）。結果、所定の放送局に設置された送受信サーバに所定のＣＭ素材が搬入される（Ｓ１１９）。なお、搬入指示には、搬入するＣＭ素材に対応するＣＭ識別情報が含まれてもよい。
【００２９】
＜ＣＭ管理システムが備えるＣＭメタ情報の運用に関するＡＰＩ＞
次に、ＣＭ管理システムが備えるＣＭメタ情報の運用に関するＡＰＩを説明する。ＣＭ管理システムが備えるＣＭメタ情報の運用に関するＡＰＩは、（１）ＣＭメタ登録・承認ＡＰＩ、及び、（２）ＣＭメタ削除ＡＰＩ、の２つである。
【００３０】
ＣＭメタ登録・承認ＡＰＩは、ＣＭメタ情報をＣＭ管理システムに新規登録する処理、及び、登録したＣＭメタ情報を修正する処理を実行するためのＡＰＩである。ＣＭメタ登録・承認ＡＰＩにより、ＣＭメタ情報の登録のみならず、登録済みのＣＭメタ情報の修正を行うことができる。しかし、ＣＭメタ登録・承認ＡＰＩを呼び出すタイミング、及び、各タイミングで実行可能な修正内容は制限される。
【００３１】
図３に、ＣＭメタ情報に含まれる項目の一例を示す。図４に、ＣＭメタ登録・承認ＡＰＩを呼び出すことができるタイミングの一例を示す。図５に、図４に示す各タイミングで呼び出されたＣＭメタ登録・承認ＡＰＩ（変更モード）において、修正可能な項目を示す。「ＯＫ」を付された項目は、修正可能な項目である。
【００３２】
このように、ＣＭメタ登録・承認ＡＰＩを呼び出すタイミングは制限される。すなわち、処理のステータスに応じて、ＣＭメタ登録・承認ＡＰＩを呼び出せたり、呼び出せなかったりする。また、各タイミングで修正可能な項目は制限される。すなわち、処理のステータスに応じて、各項目の修正可否は異なる。このため、修正不可な項目を修正する場合、以下で説明するＣＭメタ削除ＡＰＩを介してＣＭ管理システムに登録されたＣＭメタ情報を削除し、新たなＣＭメタ情報を登録し直す必要がある。
【００３３】
ＣＭメタ削除ＡＰＩは、ＣＭ管理システムに登録されたＣＭメタ情報を削除する処理を実行するためのＡＰＩである。なお、ＣＭメタ削除ＡＰＩでＣＭ管理システムに登録されたＣＭメタ情報を削除すると、ＣＭ管理システムや送受信サーバに登録されているその他の情報も併せて削除される（その時点でＣＭ管理システムや送受信サーバに登録されている場合）。その他の情報は、ＣＭ素材（図２のＳ１１９）や、媒体扱い広告会社を指定した情報（図２のＳ１０８）等が該当する。
【００３４】
＜処理装置の構成＞
以下、本実施形態の処理装置の構成を詳細に説明する。まず、処理装置のハードウエア構成の一例について説明する。本実施形態の処理装置が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００３５】
図６は、本実施形態の処理装置のハードウエア構成を例示するブロック図である。図１に示すように、処理装置は、プロセッサ１Ａ、メモリ２Ａ、入出力インターフェイス３Ａ、周辺回路４Ａ、バス５Ａを有する。周辺回路４Ａには、様々なモジュールが含まれる。処理装置は周辺回路４Ａを有さなくてもよい。
【００３６】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００３７】
次に、処理装置の機能構成を説明する。図７に、処理装置１の機能ブロック図の一例を示す。図示するように、処理装置１は、管理部１０と、削除指示受付部２０と、ステータス取得部３０と、削除処理実行部４０とを有する。
【００３８】
管理部１０は、ＣＭオンライン搬入に関する各種情報、及び、各種処理を管理する。図８に、管理部１０の機能ブロック図の一例を示す。図示するように、管理部１０は、ＣＭメタ情報管理部１１と、メタ承認管理部１２と、素材管理部１３と、素材承認管理部１４と、搬入管理部１５と、広告会社管理部１６とを有する。なお、管理部１０は、ＣＭメタ情報管理部１１、メタ承認管理部１２、素材管理部１３、素材承認管理部１４、搬入管理部１５及び広告会社管理部１６の中の一部を有さなくてもよい。
【００３９】
ＣＭメタ情報管理部１１は、少なくともＣＭ識別情報を含むＣＭメタ情報を取得し、記憶する。ＣＭメタ情報管理部１１による当該処理は、図２のＳ１０１及びＳ１０２に対応する。
【００４０】
例えば、制作会社は、素材搬入事業者が提供するウェブページにアクセスし、素材搬入事業者が提供するシステムにログインする。そして、制作会社は、当該システムが提供する機能を利用して、ＣＭメタ情報の入力及び登録指示等を行う。ＣＭメタ情報管理部１１は、例えばこのようにして入力されたＣＭメタ情報を取得し、記憶する。
【００４１】
メタ承認管理部１２は、ＣＭメタ情報管理部１１に記憶されているＣＭメタ情報を承認する入力を受付ける処理、及び、承認されたＣＭメタ情報をＣＭ管理システムに登録する処理を実行する。メタ承認管理部１２による当該処理は、図２のＳ１０３及びＳ１０４に対応する。
【００４２】
例えば、制作扱い広告会社は、素材搬入事業者が提供するウェブページにアクセスし、素材搬入事業者が提供するシステムにログインする。そして、制作扱い広告会社は、当該システムが提供する機能を利用して、ＣＭメタ情報の閲覧及び承認入力等を行う。メタ承認管理部１２は、例えばこのようにしてＣＭメタ情報を承認する入力を受付ける。そして、メタ承認管理部１２は、ＣＭ管理システムのＣＭメタ登録・承認ＡＰＩを呼び出し、承認されたＣＭメタ情報をＣＭ管理システムに送信する。ＣＭ管理システムは、受信したＣＭメタ情報に含まれるＣＭ識別情報が他のＣＭ識別情報と重複しないかチェックし、重複していない場合、そのＣＭメタ情報を登録する（図２のＳ１０９）。
【００４３】
素材管理部１３は、ＣＭ識別情報に対応するＣＭ素材を取得し、当該ＣＭ素材を当該ＣＭ識別情報に対応付けて記憶する。素材管理部１３による当該処理は、図２のＳ１１０及びＳ１１１に対応する。例えば、制作会社は、素材搬入事業者が提供するウェブページにアクセスし、素材搬入事業者が提供するシステムにログインする。そして、制作会社は、当該システムが提供する機能を利用して、ＣＭ素材のアップロード等を行う。素材管理部１３は、例えばこのようにしてアップロードされたＣＭ素材を取得し、記憶する。ＣＭ素材は、ＣＭ識別情報と対応付けて記憶される。
【００４４】
素材承認管理部１４は、素材管理部１３に記憶されているＣＭ素材を承認する入力を受付ける。そして、素材承認管理部１４は、ＣＭ管理システムが提供するオンライン認証ＡＰＩを介して、そのＣＭ素材が承認されたことをＣＭ管理システムに登録する。素材承認管理部１４による当該処理は、図２のＳ１１２及びＳ１１３に対応する。
【００４５】
例えば、制作扱い広告会社は、素材搬入事業者が提供するウェブページにアクセスし、素材搬入事業者が提供するシステムにログインする。そして、制作扱い広告会社は、当該システムが提供する機能を利用して、ＣＭ素材の閲覧及び承認入力等を行う。制作扱い広告会社は、例えば、ＣＭ識別情報を利用して、所望のＣＭ素材を読み出すことができる。素材承認管理部１４は、例えばこのようにしてＣＭ素材を承認する入力を受付ける。
【００４６】
搬入管理部１５は、承認されたＣＭ素材を放送局に設置された送受信サーバに搬入する搬入指示を受付ける処理、及び、搬入指示に従い所定のＣＭ素材を所定の放送局に設置された送受信サーバに搬入する処理を実行する。搬入管理部１５による当該処理は、図２のＳ１１８に対応する。
【００４７】
例えば、媒体扱い広告会社は、所定のＣＭ素材を所定の放送局に設置された送受信サーバに搬入する搬入指示を、ＣＭ管理システムに入力する（Ｓ１１６）。すると、ＣＭ管理システムはその搬入指示を処理装置に送信する（Ｓ１１７）。搬入管理部１５は、例えばこのようにして搬入指示を受付ける。そして、搬入管理部１５は、受付けた搬入指示に従い、所定のＣＭ素材を所定の放送局に設置された送受信サーバに送信する。なお、例えばＣＭ識別情報等を利用して搬入するＣＭ素材を特定することができる。
【００４８】
広告会社管理部１６は、ＣＭ識別情報に対応付けて媒体扱い広告会社を指定する入力を受付ける処理、及び、ＣＭ識別情報と媒体扱い広告会社とを対応付けてＣＭ管理システムに登録する処理を実行する。広告会社管理部１６による当該処理は、図２のＳ１０６及びＳ１０７に対応する。
【００４９】
例えば、制作扱い広告会社は、素材搬入事業者が提供するウェブページにアクセスし、素材搬入事業者が提供するシステムにログインする。そして、制作扱い広告会社は、当該システムが提供する機能を利用して、媒体扱い広告会社の入力及び登録指示等を行う。広告会社管理部１６は、例えばこのようにして媒体扱い広告会社を指定する入力を受付ける。そして、広告会社管理部１６は、指定された媒体扱い広告会社をＣＭ識別情報に対応付けて登録する。また、広告会社管理部１６は、ＣＭ管理システムが提供する媒体扱い広告会社登録ＡＰＩを介して、登録された媒体扱い広告会社をＣＭ管理システムに登録する。
【００５０】
管理部１０は、図９に示すように、ＣＭ識別情報毎に、各種処理を実行済みか否か（ステータス）を管理することができる。
【００５１】
図示する例の場合、「ＣＭメタ情報を受付け済みか否か（メタ受付：Ｓ１０１−Ｓ１０２）」、「ＣＭメタ情報の承認を受付け済みか否か（メタ承認：Ｓ１０３−Ｓ１０４）」、「ＣＭ素材を受付け済みか否か（素材受付け：Ｓ１１０−Ｓ１１１）」、「ＣＭ素材の承認を受付け済みか否か（素材承認：Ｓ１１２−Ｓ１１３）」、「媒体扱い広告会社を指定済みか否か（媒体扱い広告会社指定：Ｓ１０６−Ｓ１０７）」、及び「ＣＭ素材を搬入済みか否か（素材搬入：Ｓ１１８）」等の処理のステータスを管理している。実行済みの処理にチェックマークが入っている。なお、図示する処理はあくまで一例であり、管理部１０は、その他の処理のステータスを管理してもよいし、図示する処理の一部のステータスを管理しなくてもよい。また、図９では、実行済みの処理をチェックマークによって表したが、これに限定されない。即ち、実行済みの処理を利用者が容易に確認することができれば、係る実行済みの処理を示す様々な表示態様を採用することができる。
【００５２】
図７に戻り、削除指示受付部２０は、ＣＭ管理システムから登録済みのＣＭメタ情報を削除する削除指示の入力を受付ける。
【００５３】
例えば、制作扱い広告会社または制作会社は、素材搬入事業者が提供するウェブページにアクセスし、素材搬入事業者が提供するシステムにログインする。そして、制作扱い広告会社または制作会社は、当該システムが提供する機能を利用して、ＣＭ管理システムから削除するＣＭメタ情報の指定（ＣＭ識別情報の指定）、及び、削除指示の入力を行う。削除指示受付部２０は、例えばこのようにして削除指定の入力を受付ける。
【００５４】
上述の通り、ＣＭ管理システムのＣＭメタ登録・承認ＡＰＩを介して行う修正のタイミングや内容は制限される。このため、修正不可な項目を修正する場合、ＣＭメタ削除ＡＰＩを介してＣＭ管理システムに登録されたＣＭメタ情報を削除し、新たなＣＭメタ情報を登録し直す必要がある。例えば、このような場合に、制作扱い広告会社または制作会社は、ＣＭ管理システムから登録済みのＣＭメタ情報を削除する削除指示を、処理装置１に入力する。
【００５５】
ステータス取得部３０は、削除指示の対象のＣＭメタ情報（以下、「削除対象ＣＭメタ情報」）に関連した各種処理を管理部１０が実行済みか否かを示す情報を取得する。ステータス取得部３０は、管理部１０により管理されている各種処理のステータスを示す情報（例：図９）に基づき、各種処理を管理部１０が実行済みか否かを示す情報を取得することができる。
【００５６】
例えば、ステータス取得部３０は、メタ承認管理部１２が削除対象ＣＭメタ情報に対応して、「ＣＭメタ情報を承認する入力を受付ける処理」、及び、「ＣＭメタ情報をＣＭ管理システムに登録する処理」を実行済みか否か（第１のステータス）を示す情報を取得してもよい。
【００５７】
その他、ステータス取得部３０は、素材承認管理部１４が削除対象ＣＭメタ情報に対応して、「ＣＭ素材を承認する入力を受付ける処理」を実行済みか否か（第２のステータス）を示す情報を取得してもよい。
【００５８】
その他、ステータス取得部３０は、搬入管理部１５が削除対象ＣＭメタ情報に対応して、「ＣＭ素材を放送局に設置された送受信サーバに搬入する搬入指示を受付ける処理」、及び、「搬入指示に従い所定のＣＭ素材を所定の放送局に設置された送受信サーバに搬入する処理」を実行済みか否か（第３のステータス）を示す情報を取得してもよい。
【００５９】
その他、ステータス取得部３０は、広告会社管理部１６が削除対象ＣＭメタ情報に対応して、「媒体扱い広告会社を指定する入力を受付ける処理」、及び、「指定された媒体扱い広告会社をＣＭ管理システムに登録する処理」を実行済みか否か（第４のステータス）を示す情報を取得してもよい。
【００６０】
その他、ステータス取得部３０は、ＣＭメタ情報管理部１１が削除対象ＣＭメタ情報に対応して、「ＣＭメタ情報を取得し、記憶する処理」を実行済みか否か（第５のステータス）を示す情報を取得してもよい。
【００６１】
その他、ステータス取得部３０は、素材管理部１３が削除対象ＣＭメタ情報に対応して、「ＣＭ素材を取得し、記憶する処理」を実行済みか否か（第６のステータス）を示す情報を取得してもよい。
【００６２】
図７に戻り、削除処理実行部４０は、ＣＭ管理システムのＣＭメタ削除ＡＰＩを介して、削除対象ＣＭメタ情報を削除する指示をＣＭ管理システムに送信する処理を実行する。
【００６３】
また、削除処理実行部４０は、削除対象ＣＭメタ情報に関連した各種処理のステータスに応じた処理を実行する。
【００６４】
例えば、第１のステータスが「実行済み」である場合、削除処理実行部４０は、第１のステータスを「未実行」に変更する。すなわち、削除対象ＣＭメタ情報に対応した「ＣＭメタ情報を承認する入力を受付ける処理」、及び、「承認されたＣＭメタ情報をＣＭ管理システムに登録する処理」のステータスは「未実行」に変更される。結果、あるＣＭメタ情報をＣＭ管理システムから削除すると、制作扱い広告会社はそのＣＭメタ情報を承認する処理（Ｓ１０３）を再度行う必要がある。
【００６５】
また、第２のステータスが「実行済み」である場合、削除処理実行部４０は、第２のステータスを「未実行」に変更する。すなわち、削除対象ＣＭメタ情報に対応した「ＣＭ素材を承認する入力を受付ける処理」のステータスは「未実行」に変更される。結果、あるＣＭメタ情報をＣＭ管理システムから削除すると、制作扱い広告会社はそのＣＭメタ情報に対応する（同一のＣＭ識別情報に対応付けられている）ＣＭ素材を承認する処理（Ｓ１１２）を再度行う必要がある。
【００６６】
また、第３のステータスが「実行済み」である場合、削除処理実行部４０は、第３のステータスを「未実行」に変更する。すなわち、削除対象ＣＭメタ情報に対応した「ＣＭ素材を放送局に設置された送受信サーバに搬入する搬入指示を受付ける処理」、及び、「搬入指示に従い所定のＣＭ素材を所定の放送局に設置された送受信サーバに搬入する処理」のステータスは「未実行」に変更される。結果、あるＣＭメタ情報をＣＭ管理システムから削除すると、媒体扱い広告会社はそのＣＭメタ情報に対応する（同一のＣＭ識別情報に対応付けられている）ＣＭ素材を所定の放送局に設置された送受信サーバに搬入する指示を入力する処理（Ｓ１１６）を再度行う必要がある。
【００６７】
また、第４のステータスが「実行済み」である場合、削除処理実行部４０は、第４のステータスを「未実行」に変更する。すなわち、削除対象ＣＭメタ情報に対応した「媒体扱い広告会社を指定する入力を受付ける処理」、及び、「指定された媒体扱い広告会社をＣＭ管理システムに通知する処理」のステータスは「未実行」に変更される。結果、あるＣＭメタ情報をＣＭ管理システムから削除すると、制作扱い広告会社はそのＣＭメタ情報に対応して（同一のＣＭ識別情報に対応付けて）媒体扱い広告会社を登録する処理（Ｓ１０６）を再度行う必要がある。
【００６８】
なお、第５のステータスが「実行済み」である場合、削除処理実行部４０は、第５のステータスを「実行済み」のままにする。すなわち、削除対象ＣＭメタ情報に対応した「ＣＭメタ情報を取得し、記憶する処理」のステータスは「実行済み」のまま維持される。そして、ＣＭメタ情報管理部１１は、削除指示受付部２０が削除指示を受付けても、削除指示の対象のＣＭメタ情報を記憶し続ける。すなわち、削除対象ＣＭメタ情報はＣＭ管理システムからは削除されるが、処理装置１からは削除されず残る。結果、あるＣＭメタ情報をＣＭ管理システムから削除しても、制作会社はそのＣＭメタ情報を一から入力して処理装置１に新規登録する処理（Ｓ１０１）を回避できる。
【００６９】
また、第６のステータスが「実行済み」である場合、削除処理実行部４０は、第６のステータスを「実行済み」のままにする。すなわち、削除対象ＣＭメタ情報に対応した「ＣＭ素材を取得し、記憶する処理」のステータスは「実行済み」のまま維持される。そして、素材管理部１３は、削除指示受付部２０が削除指示を受付けても、削除対象ＣＭメタ情報と同一のＣＭ識別情報に対応付けられているＣＭ素材を記憶し続ける。すなわち、削除対象ＣＭメタ情報と同一のＣＭ識別情報に対応付けられているＣＭ素材は、放送局に設置された送受信サーバからは削除されるが、処理装置１からは削除されず残る。結果、あるＣＭメタ情報をＣＭ管理システムから削除しても、制作会社はそのＣＭメタ情報に対応する（同一のＣＭ識別情報に対応付けられている）ＣＭ素材を処理装置１に再度登録する処理（Ｓ１１０）を回避できる。
【００７０】
なお、削除処理実行部４０は、ステータスに応じたメッセージを出力し、その後に、ＣＭ管理システムに削除指示を送信する処理、及び、上述したステータスに応じた処理を実行してもよい。
【００７１】
例えば、削除処理実行部４０は、第１のステータスが実行済みである場合、その旨を示すとともに、削除対象ＣＭメタ情報の削除指示を実行すると、第１のステータスが未実行に変更される旨や、制作扱い広告会社はそのＣＭメタ情報を承認する処理（Ｓ１０３）を再度行う必要がある旨等を示すメッセージを出力してもよい。
【００７２】
その他、削除処理実行部４０は、第２のステータスが実行済みである場合、その旨を示すとともに、削除対象ＣＭメタ情報の削除指示を実行すると、第２のステータスが未実行に変更される旨や、制作扱い広告会社はそのＣＭメタ情報に対応する（同一のＣＭ識別情報に対応付けられている）ＣＭ素材を承認する処理（Ｓ１１２）を再度行う必要がある旨等を示すメッセージを出力してもよい。
【００７３】
その他、削除処理実行部４０は、第３のステータスが実行済みである場合、その旨を示すとともに、削除対象ＣＭメタ情報の削除指示を実行すると、第３のステータスが未実行に変更される旨や、媒体扱い広告会社はそのＣＭメタ情報に対応する（同一のＣＭ識別情報に対応付けられている）ＣＭ素材を放送局に設置された送受信サーバに搬入する指示を入力する処理（Ｓ１１６）を再度行う必要がある旨等を示すメッセージを出力してもよい。
【００７４】
その他、削除処理実行部４０は、第４のステータスが実行済みである場合、その旨を示すとともに、削除対象ＣＭメタ情報の削除指示を実行すると、第４のステータスが未実行に変更される旨や、制作扱い広告会社はそのＣＭメタ情報に対応して（同一のＣＭ識別情報に対応付けて）媒体扱い広告会社を登録する処理（Ｓ１０６）を再度行う必要がある旨等を示すメッセージを出力してもよい。
【００７５】
その他、削除処理実行部４０は、第５のステータスが実行済みである場合、その旨を示すとともに、削除対象ＣＭメタ情報の削除指示を実行しても、第５のステータスが実行済みのまま維持される旨を示すメッセージを出力してもよい。また、削除処理実行部４０は、削除対象ＣＭメタ情報の削除指示を実行しても、処理装置１は削除対象ＣＭメタ情報を記憶し続ける、すなわち処理装置１に登録され続ける旨を示すメッセージを出力してもよい。
【００７６】
その他、削除処理実行部４０は、第６のステータスが実行済みである場合、その旨を示すとともに、削除対象ＣＭメタ情報の削除指示を実行しても、第６のステータスが実行済みのまま維持される旨を示すメッセージを出力してもよい。また、削除処理実行部４０は、削除対象ＣＭメタ情報の削除指示を実行しても、処理装置１は削除対象ＣＭメタ情報と同一のＣＭ識別情報に対応付けられているＣＭ素材を記憶し続ける、すなわち処理装置１にそのＣＭ素材が登録され続ける旨を示すメッセージを出力してもよい。
【００７７】
なお、ＣＭ管理システムに登録したＣＭ識別情報は、そのＣＭ識別情報に対応するＣＭ素材を放送局に設置された送受信サーバに搬入した後は、ＣＭ管理システムからＣＭメタ情報を削除しても再利用できない。換言すれば、ＣＭ素材を放送局に設置された送受信サーバに搬入する前は、ＣＭ管理システムからＣＭメタ情報を削除した後、削除したＣＭメタ情報に含まれるＣＭ識別情報を再利用できる。「再利用できなくなる」とは、図２のＳ１０５の重複チェックを通過できなくなることと同義である。
【００７８】
そこで、削除処理実行部４０は、ステータスに応じたメッセージとして、第３のステータスが「実行済み」である場合、削除したＣＭメタ情報に含まれるＣＭ識別情報は再利用できない旨を示すメッセージを出力してもよい。また、削除処理実行部４０は、第３のステータスが「未実行」である場合、削除したＣＭメタ情報に含まれるＣＭ識別情報は再利用できる旨を示すメッセージを出力してもよい。
【００７９】
図１０に、削除処理実行部４０により出力されるメッセージの具体例を示す。「ＣＭメタ承認済み（媒体扱い広告会社無し）」は、第１のステータスが「実行済み」であり、第４のステータスが「未実行」であることを意味する。「ＣＭメタ承認済み（媒体扱い広告会社有り）」は、第１のステータスが「実行済み」であり、第４のステータスも「実行済み」であることを意味する。「オンライン認証済（搬入指示未受信）」は、第２のステータスが「実行済み」であり、第３のステータスが「未実行」であることを意味する。「オンライン認証済（搬入指示受信済）」は、第２のステータスが「実行済み」であり、第３のステータスも「実行済み」であることを意味する。
【００８０】
図１１に、削除指示受付部２０による削除指示の受付けに応じて、ステータス取得部３０及び削除処理実行部４０により実行される処理の流れの一例を示す。
【００８１】
削除指示受付部２０が削除指示を受付けると、まず、ステータス取得部３０が削除対象ＣＭメタ情報に関連した各種処理のステータスを確認する（Ｓ１０）。その後、削除処理実行部４０は、Ｓ１０で確認されたステータスに応じた処理を実行する（Ｓ１１）。すなわち、削除処理実行部４０は、各種処理のステータスを変更したり、各種メッセージを出力したりする。その後、削除処理実行部４０は、ＣＭ管理システムに削除指示を送信する（Ｓ１２）。
【００８２】
＜処理装置１が提供するＵＩ（user interface）画面＞
次に、処理装置１が提供するＵＩ画面の一例を説明する。なお、ここでの例示はあくまで一例であり、処理装置１はここで例示したＵＩ画面の全てを提供してもよいし、一部を提供してもよい。
【００８３】
「事前準備」
処理装置１を利用するための事前準備で提供されるＵＩ画面を説明する。図１２は、素材搬入事業者が提供するシステムにログインするための画面、及び、ログインするために新規登録するためのＵＩ画面である。
【００８４】
ウェブブラウザで図の左上のＵＩ画面を開き、当該ＵＩ画面において「新規ＩＤ登録」ボタンをクリックすると、図の左下のＵＩ画面に遷移する。図の左下のＵＩ画面においてメールアドレスを入力し、「送信」ボタンをクリックすると、入力したメールアドレス宛に、図の右側に示す内容の電子メールが送信される。当該電子メールには、所定時間のみ有効なワンタイムＵＲＬが含まれる。当該ワンタイムＵＲＬにアクセスすると、図１３のＵＩ画面がウェブブラウザで表示される。図１３のＵＩ画面において必要事項を入力し、「登録」ボタンをクリックすることで、新規登録がなされる。以降、図１２の左上のＵＩ画面において、登録した「ログインＩＤ」及び「パスワード」を入力し、「ログイン」ボタンをクリックすることで、素材搬入事業者が提供するシステムにログインすることができる。
【００８５】
「プロジェクト作成」
処理装置１では、キャンペーン単位、発注単位等でプロジェクトを登録することができてもよい。図１４は、登録したプロジェクトを検索したり、新規プロジェクトを登録したりするＵＩ画面である。ログイン後、図の上側のＵＩ画面を開き、「プロジェクト新規作成」ボタンをクリックすると、図の下側のＵＩ画面に遷移する。図１４の下側のＵＩ画面において必要事項を入力し、「登録」ボタンをクリックすることで、プロジェクトの新規登録がなされる。
【００８６】
図１４の下側のＵＩ画面を閉じると、図１５のＵＩ画面に遷移する。なお、図１４の上側のＵＩ画面は、図１５のＵＩ画面の一部を抽出して示したものである。
【００８７】
図１５のＵＩ画面において「更新」ボタンをクリックすると、図１６の左上のＵＩ画面に遷移する。当該ＵＩ画面において「新規メンバー追加」ボタンをクリックすると、図１６の右下のＵＩ画面に遷移する。図１６の右下のＵＩ画面の検索欄を用いて検索を行うことで、登録済みのメンバーの中から検索キーにマッチするメンバーを検索することができる。検索されたメンバーは検索欄の下側に一覧表示される。そして、この検索結果の表示と共に、図示する「メンバー追加」ボタンが画面表示される。すなわち、検索結果が表示されていない状態では、「メンバー追加」ボタンは画面表示されない。
【００８８】
一覧表示されたメンバーの中からプロジェクトに登録するメンバーを選択し、「メンバー追加」ボタンをクリックすることで、プロジェクトにアクセスする作業メンバーを登録することができる。また、「一時作業者追加」ボタンをクリックし、不図示のＵＩ画面を開くことで、ＩＤ未登録のユーザを、プロジェクトにアクセスする作業メンバーとして登録することができる。
【００８９】
また、図１５のＵＩ画面において「引用」ボタンをクリックすると、作業メンバーを引き継いで新しいプロジェクトを作成することができる。
【００９０】
「ＣＭメタ情報の登録」
ログイン後、図１７の左側のＵＩ画面を開き、１つのプロジェクトを指定した状態で「ＣＭメタ入力」ボタンをクリックすると、図１７の右側のＵＩ画面に遷移する。なお、図１７の左側のＵＩ画面は、図１５のＵＩ画面の一部を抽出して示したものである。図１７の右側のＵＩ画面において必要事項を入力後、「登録」ボタンをクリックすることで、ＣＭメタ情報を処理装置１に登録することができる。
【００９１】
なお、「１０桁ＣＭコード」を入力し、「重複チェック」ボタンをクリックすることで、入力した１０桁ＣＭコードがＣＭ管理システムに登録済みか否かを確認することができる。「１０桁ＣＭコード」を入力し、「重複チェック」ボタンをクリックすると、処理装置１は入力された１０桁ＣＭコードをＣＭ管理システムに送信し、その１０桁ＣＭコードがＣＭ管理システムに登録済みか否かを問い合わせる。そして、処理装置１はＣＭ管理システムから受信した問い合わせの回答（登録済みか否か）を画面表示する。尚、上述の例では「重複チェック」ボタンをクリックするのに応じて、上述した処理を実行する構成を説明したがこれに限定されない。例えば、「登録」ボタンがクリックされるのに応じて上述した処理を実行するようにしてもよい。
【００９２】
ＣＭメタ情報を登録すると、図１５のＵＩ画面の素材一覧に、一行追加される。図１８の上側に、素材一覧の箇所のみを抽出して、一行追加された状態を示す
【００９３】
「ＣＭメタ情報の承認」
図１５のＵＩ画面の素材一覧の中から１つの素材を指定すると、図１８の下側のＵＩ画面が開く。当該ＵＩ画面において、図示するように「メタ情報ＣＭ交換」のタブを選択すると、登録されたＣＭメタ情報を閲覧することができる。
【００９４】
図１８の下側のＵＩ画面において「ＣＭメタ承認」ボタンをクリックすると、図１９の右側に示すＵＩ画面が開く。図１９の右側に示すＵＩ画面において「実行」ボタンをクリックすることで、ＣＭメタ情報の承認の入力がなされる。
【００９５】
ＣＭメタ情報の承認の入力がなされると、図１９の左側のＵＩ画面において「ＣＭメタ承認」ボタンに対応付けられたチェックボックスにチェックが入る（図では未チェック）。当該チェックボックスの状態を確認することで、ＣＭメタ情報の承認がなされているか否かを確認できる。
【００９６】
「媒体扱い広告会社の登録」
図１５のＵＩ画面の素材一覧の中から１つの素材を指定すると、図２０のＵＩ画面が開く。当該ＵＩ画面において「媒体扱い広告会社登録」ボタンをクリックすると、図２１の左側のＵＩ画面が開く。図２１の左側のＵＩ画面において「広告会社検索」ボタンをクリックすると、図２１の右側のＵＩ画面が開く。図２１の右側のＵＩ画面において広告会社を検索し、１つの広告会社を選択した状態で「決定」ボタンをクリックすると、図２１の左側のＵＩ画面に遷移する。遷移後の図２１の左側のＵＩ画面においては、選択された広告会社が「媒体扱い広告会社名」の欄に表示される。必要事項を入力後、「登録」ボタンをクリックすると、媒体扱い広告会社が登録される。
【００９７】
媒体扱い広告会社の登録がなされると、図２０のＵＩ画面において「媒体扱い広告会社」ボタンに対応付けられたチェックボックスにチェックが入る（図では未チェック）。当該チェックボックスの状態を確認することで、媒体扱い広告会社が登録済か否かを確認できる。
【００９８】
また、図２０のＵＩ画面において、「媒体扱い広告会社」のタブを選択すると、図２２のＵＩ画面に示すように、登録された媒体扱い広告会社を確認することができる。
【００９９】
「ＣＭ素材のアップロード」
図１５のＵＩ画面の素材一覧の中から１つの素材を指定すると、図２３のＵＩ画面が開く。当該ＵＩ画面において「アップロード」ボタンをクリックすると、図２４のＵＩ画面が開く。当該ＵＩ画面からアップロードするファイルを選択し、「実行」ボタンをクリックすることで、ＣＭ素材を処理装置１にアップロードすることができる。
【０１００】
ＣＭ素材をアップロードすると、処理装置１は、プレビュー用低解像度ファイルを自動生成する。生成後、図２５の上側のＵＩ画面が表示される。当該ＵＩ画面において「更新」ボタンをクリックすると、プレビュー用低解像度ファイルを利用したプレビュー視聴ができるようになる。また、図２５の真ん中のＵＩ画面、及び、下側のＵＩ画面において、クオリティチェックの結果が表示される。クオリティチェックの項目は、「搬入素材ファイル自体のファイルフォーマット」、「民放連の搬入基準のフォーマット（カラーバー、クレジット、本編などの表示時間やスタートタイムコードの時間、それに伴う無音時間等）」、「映像／音声品質（光点滅、ブロックノイズ、黒味、サブリミナル、音声ラウドネス等）」、「民放連字幕ＣＭ搬入基準（字幕フォント／サイズ、表示位置、外字、字幕表示不可の時間、等）」等である。ＣＭ素材の登録がなされると、図２５のＵＩ画面に示すように、「アップロード」ボタンに対応付けられたチェックボックスにチェックが入る。当該チェックボックスの状態を確認することで、ＣＭメ素材をアップロード済みか否か、を確認できる。
【０１０１】
「ＣＭ素材の承認」
図１５のＵＩ画面の素材一覧の中から、ＣＭ素材アップロード済みの１つの素材を指定すると、図２６の左側のＵＩ画面が開く。当該ＵＩ画面において、ＣＭ素材のプレビューを視聴することができる。
【０１０２】
そして、当該ＵＩ画面において「オンライン認証」ボタンをクリックすると、図２６の右側のＵＩ画面が開く。当該ＵＩ画面において「実行」ボタンをクリックすることで、ＣＭ素材の承認を入力することができる。ＣＭ素材の承認がなされると、図２６の左側のＵＩ画面において「オンライン認証」ボタンに対応付けられたチェックボックスにチェックが入る（図では未チェック）。当該チェックボックスの状態を確認することで、ＣＭ素材を承認済みか否か、を確認できる。
【０１０３】
「ＣＭメタ情報の承認解除」
図１５のＵＩ画面の素材一覧の中から１つの素材を指定すると、図２７の左側のＵＩ画面が開く。当該ＵＩ画面において「ＣＭメタ承認解除」ボタンをクリックすると、図２７の右側のＵＩ画面が開く。図２７の右側のＵＩ画面において「実行」ボタンをクリックすることで、ＣＭ管理システムに登録済みのそのＣＭメタ情報を削除する削除指示を入力することができる。
【０１０４】
なお、図示しないが、図２７の右側のＵＩ画面において「実行」ボタンをクリックすると、図１０に示す情報に基づき、削除対象ＣＭメタ情報に関する処理のステータスに応じたメッセージを表示してもよい。また、実行してもよいか否かを確認するメッセージを表示し、実行してもよいか否かの入力をさらに受付けてもよい。
【０１０５】
ＣＭメタ承認解除の入力がなされると、図２７の左側のＵＩ画面において、「ＣＭメタ承認」ボタンに対応付けられたチェックボックスの状態が、未チェックになる。また、ＣＭメタ承認解除の入力がなされる直前の「取扱広告会社」ボタン、及び、「オンライン認証」ボタン各々に対応付けられたチェックボックスの状態がチェック済みである場合、ＣＭメタ承認解除の入力がなされるとこれらのチェックボックスの状態も未チェックになる。なお、ＣＭメタ承認解除の入力がなされる直前の「アップロード」ボタンに対応付けられたチェックボックスの状態がチェック済みである場合、ＣＭメタ承認解除の入力がなされてもチェック済みのまま維持される。
【０１０６】
「媒体扱い広告会社の解除」
図１５のＵＩ画面の素材一覧の中から１つの素材を指定すると、図２０のＵＩ画面が開く。当該ＵＩ画面において、「媒体扱い広告会社」のタブを選択すると、図２２のＵＩ画面に示すように、登録された媒体扱い広告会社を確認することができる。当該ＵＩ画面において「更新・削除」ボタンをクリックすると、図２８のＵＩ画面が開く。
【０１０７】
図２８のＵＩ画面において任意の項目の内容を変更し、「更新」ボタンをクリックすると、処理装置１は、変更前の媒体扱い広告会社の内容を削除する指示をＣＭ管理システムに送信する。また、処理装置１は、新たに選択された媒体扱い広告会社をＣＭ管理システムに通知し、その媒体扱い広告会社を登録させる。さらに、処理装置１は、自システムに登録されている媒体扱い広告会社の内容を、変更前の内容から変更後の内容に更新する。
【０１０８】
図２８のＵＩ画面において「削除」ボタンをクリックすると、処理装置１は、登録済みの媒体扱い広告会社を削除する指示をＣＭ管理システムに送信する。そして、処理装置１は、自システムに登録されている媒体扱い広告会社の内容を削除する。
【０１０９】
なお、登録されている媒体扱い広告会社が１件の状態で更新や削除を行った場合、ＣＭ管理システムは、搬入済みの全てのＣＭ素材（更新又は削除する媒体扱い広告会社と同一のＣＭ識別情報を対応付けられているＣＭ素材）に対して、放送局への搬入を中止する処理を実行することとなる。そこで、処理装置１は、登録されている媒体扱い広告会社が１件の状態で「更新」ボタンや「削除」ボタンをクリックされた場合、「当該処理を実行すると、ＣＭ管理システムは、搬入済みの全てのＣＭ素材に対して、放送局への搬入を中止する処理を実行します」というメッセージを出力してもよい。また、実行してもよいか否かを確認するメッセージを表示し、実行してもよいか否かの入力をさらに受付けてもよい。
【０１１０】
「ＣＭ素材の削除」
ＣＭ素材アップロード後に、図１５のＵＩ画面の素材一覧の中から１つの素材を指定すると、図２９のＵＩ画面が開く。当該ＵＩ画面において、「素材削除」ボタンをクリックすると、処理装置１に登録されているＣＭ素材が削除される。この場合、ＣＭ管理システムに搬入されたＣＭ素材も削除される。
【０１１１】
「他の一例」
図３０に、ＵＩ画面の他の一例を示す。当該ＵＩ画面では、上側に素材一覧が表示されている。素材一覧の各行には、少なくとも、選択中か否かを示す情報、１０桁コード、ＣＭ素材名、ＣＭの秒数、字幕の有無、及び、ステータスが表示されている。即ち、係る行には、少なくとも、ＣＭ素材に関する情報と、上述において説明した各種処理が実行済みか否かを示す情報（ステータス）とが関連付けられた態様によって表示されている。
【０１１２】
当該ＵＩ画面の下側には、選択された素材に関する各種情報（ＣＭメタ情報、映像、ＣＭ素材に関する情報等）が表示されている。即ち、当該ＵＩ画面の下側には、素材一覧の行において選択された（係る行において選択中と表示された）素材に関する各種情報が表示されている。より具体的に、一例として、ＣＭメタ情報には、少なくとも、１０桁ＣＭコードを表す情報と、ＣＭ素材名を表す情報とが表示されている。しかしながらこれに限定されず、ＣＭメタ情報には、次に示す情報が表示されていてもよい。即ち、ＣＭメタ情報には、素材広告主名、制作広告会社名、制作会社名、素材秒数、音声区分、ＣＭ字幕有無、ＤＦ（ドロップフレーム）／ＮＤＦ（ノンドロップフレーム）区分、画角、スタートタイムコード（ＣＭの開始時間）、録画日、ＣＭ素材に付与されたハッシュ値、商品名及び映像記録方式（ＨＤ・ＳＤ）のうち、少なくとも何れかの情報を含む構成を採用してもよい。
【０１１３】
映像欄には、ＣＭ素材のプレビュー視聴が可能な態様によって表示する。また、映像欄は、クレジットをもプレビュー視聴が可能な態様によって表示する。ＣＭ素材とクレジットのプレビューは、例えば、切り替えボタンが切り替えられる動作に応じて、切り替えられることが可能である。ＣＭ素材に関する情報は、例えば、ＣＭ素材であるファイル名（例えば、拡張子ＭＸＦ（Ｍａｔｅｒｉａｌ  ｅＸｃｈａｎｇｅ  Ｆｏｒｍａｔ）が付与されたファイル名）、ハッシュ値、アップロードされた日時などの情報を表示する。
【０１１４】
なお、上述において、一例として、ＵＩ画面には、素材一覧、ＣＭメタ情報、映像、ＣＭ素材に関する情報を表示する構成を例に説明した。しかしながら、本実施形態におけるＵＩ画面は、これに限定されない。例えば、ＵＩ画面には、素材一覧、ＣＭメタ情報、映像、ＣＭ素材に関する情報のうち、少なくとも何れかが表示される構成を採用することができる。また、図３０に示すそれぞれの情報の配置位置は、一例であって、これに限定されない。
【０１１５】
＜処理装置１の作用効果＞
最後に、本実施形態の処理装置１の作用効果を説明する。本実施形態の処理装置１によれば、素材搬入事業者のシステムを介した作業の効率を高めることができる。
【０１１６】
本実施形態の処理装置１によれば、ＣＭ管理システムに登録済みのＣＭメタ情報の内容を変更する際の作業効率が高まる。上述の通り、ＣＭ管理システムが提供するＣＭメタ登録・承認ＡＰＩを利用した場合、ＣＭメタ情報の変更のタイミング及び内容が制限される。当該制限のため許可されない変更を行う場合、削除ＡＰＩを利用してＣＭ管理システムに登録したＣＭメタ情報を削除し、ＣＭ管理システムに新たなＣＭメタ情報を登録する必要がある。以下、ＣＭメタ情報変更のために、削除ＡＰＩを利用してＣＭ管理システムに登録したＣＭメタ情報を削除し、その後に新たにＣＭ管理システムに新たなＣＭメタ情報を登録する処理を「第１の変更処理」という。
【０１１７】
ところで、ＣＭ管理システムに登録したＣＭメタ情報の削除に伴い、処理装置１に登録済みのＣＭメタ情報を併せて削除してしまうと、第１の変更処理における「ＣＭ管理システムに新たなＣＭメタ情報を登録する作業」において、作業者は、ＣＭメタ情報に含まれるすべての項目を最初から入力し直さなければならず、手間である。
【０１１８】
そこで、当該手間を軽減するため、処理装置１は、ＣＭ管理システムに登録したＣＭメタ情報を削除しても、処理装置１に登録されたＣＭメタ情報を削除しない。かかる場合、第１の変更処理における「ＣＭ管理システムに新たなＣＭメタ情報を登録する作業」において、作業者は、処理装置１に登録されているＣＭメタ情報を読み出して、変更対象の項目のみ内容を変更すればよい。結果、変更不要な項目の再入力を回避でき、作業効率が高まる。
【０１１９】
また、削除ＡＰＩを利用してＣＭ管理システムに登録したＣＭメタ情報を削除した場合、放送局に設置された送受信サーバに搬入されているＣＭ素材も削除される。この送受信サーバに搬入されたＣＭ素材の削除に伴い、処理装置１に登録済みのＣＭ素材を併せて削除してしまうと、変更不要なＣＭ素材を再アップロードする必要があり、手間である。
【０１２０】
そこで、当該手間を軽減するため、処理装置１は、ＣＭメタ情報の削除に起因して放送局に設置された送受信サーバからＣＭ素材が削除されても、処理装置１に登録されたＣＭ素材を削除しない。このため、作業者は、変更不要なＣＭ素材の再アップロードを回避できる。
【０１２１】
また、処理装置１は、削除ＡＰＩを利用してＣＭ管理システムに登録したＣＭメタ情報を削除する場合、そのＣＭメタ情報に関する処理のステータスを確認し、ステータスに応じた処理を行うことができる。
【０１２２】
例えば、処理装置１は、ＣＭ管理システムのステータスに併せて、自装置（処理装置１）のステータスを変更することができる。このため、処理装置１とＣＭ管理システムとの連携を確保することができる。また、処理装置１は、ステータスに応じたメッセージを出力することができる。例えば、「ＣＭ管理システムからＣＭメタ情報を削除すると、○○の処理のステータスが元に戻るため、○○の処理を再度行う必要があります」等のメッセージを出力することができる。このため、作業者は、変更後のステータス、及び、変更後に行う必要がある処理を把握し、適切に実行することができる。
【０１２３】
また、ステータスに応じたメッセージとして、ＣＭ管理システムに登録したＣＭメタ情報を削除した場合、そのＣＭメタ情報に含まれるＣＭ識別情報を再利用可能か否か、を示す情報を、出力することができる。このため、作業者は、削除したＣＭメタ情報に含まれるＣＭ識別情報を再利用可能か否か、を把握することができる。結果、不要にＣＭ識別情報を変更して不要な作業を増やしたり、誤って再利用できないＣＭ識別情報をそのまま利用したりという不都合を軽減できる。
【０１２４】
以下、参考形態の例を付記する。
１．  少なくともＣＭ識別情報を含むＣＭメタ情報を記憶するＣＭメタ情報管理手段と、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段と、
前記ＣＭ管理システムから登録済みの前記ＣＭメタ情報を削除する削除指示の入力を受付ける削除指示受付手段と、
前記メタ承認管理手段が前記削除指示の対象の前記ＣＭメタ情報に関連した処理を実行済みか否か、を示す第１のステータスを示す情報を取得するステータス取得手段と、
前記ＣＭ管理システムに前記削除指示を送信する処理、及び、前記第１のステータスに応じた処理を実行する削除処理実行手段と、
を有する処理装置。
２．  １に記載の処理装置において、
前記削除処理実行手段は、前記第１のステータスが実行済みである場合、前記第１のステータスを未実行に変更する処理装置。
３．  ２に記載の処理装置において、
前記削除処理実行手段は、前記第１のステータスが実行済みである場合、前記第１のステータスが未実行に変更される旨を示すメッセージを出力する処理装置。
４．  １から３のいずれかに記載の処理装置において、
前記ＣＭ識別情報に対応するＣＭ素材を取得し、該ＣＭ素材を前記ＣＭ識別情報に対応付けて記憶する素材管理手段と、
前記素材管理手段に記憶されている前記ＣＭ素材を承認する入力を受付ける素材承認管理手段と、
を有し、
前記ステータス取得手段は、前記素材承認管理手段が前記削除指示の対象の前記ＣＭメタ情報に関連した処理を実行済みか否か、を示す第２のステータスを示す情報を取得し、
前記削除処理実行手段は、前記第２のステータスに応じた処理を実行する手段を有する処理装置。
５．  ４に記載の処理装置において、
前記削除処理実行手段は、前記第２のステータスが実行済みである場合、前記第２のステータスを未実行に変更する処理装置。
６．  ５に記載の処理装置において、
前記削除処理実行手段は、前記第２のステータスが実行済みである場合、前記第２のステータスが未実行に変更される旨を示すメッセージを出力する処理装置。
７．  ４から６のいずれかに記載の処理装置において、
承認された前記ＣＭ素材を送受信サーバに搬入する搬入指示を受付ける処理、及び、前記搬入指示に従い前記ＣＭ素材を前記送受信サーバに搬入する処理を実行する搬入管理手段を有し、
前記ステータス取得手段は、前記搬入管理手段が前記削除指示の対象の前記ＣＭメタ情報に関連した処理を実行済みか否か、を示す第３のステータスを示す情報を取得し、
前記削除処理実行手段は、前記第３のステータスに応じた処理を実行する手段を有する処理装置。
８．  ７に記載の処理装置において、
前記削除処理実行手段は、前記第３のステータスが実行済みである場合、前記第３のステータスを未実行に変更する処理装置。
９．  ８に記載の処理装置において、
前記削除処理実行手段は、前記第３のステータスが実行済みである場合、前記第３のステータスが未実行に変更される旨を示すメッセージを出力する処理装置。
１０．  １から９のいずれかに記載の処理装置において、
前記ＣＭ識別情報に対応付けて広告会社を指定する入力を受付ける処理、及び、前記ＣＭ識別情報と前記広告会社とを対応付けて前記ＣＭ管理システムに登録する処理を実行する広告会社管理手段を有し、
前記ステータス取得手段は、前記広告会社管理手段が前記削除指示の対象の前記ＣＭメタ情報に関連した処理を実行済みか否か、を示す第４のステータスを示す情報を取得し、
前記削除処理実行手段は、前記第４のステータスに応じた処理を実行する手段を有する処理装置。
１１．  １０に記載の処理装置において、
前記削除処理実行手段は、前記第４のステータスが実行済みである場合、前記第４のステータスを未実行に変更する処理装置。
１２．  １１に記載の処理装置において、
前記削除処理実行手段は、前記第４のステータスが実行済みである場合、前記第４のステータスが未実行に変更される旨を示すメッセージを出力する処理装置。
１３．  １から１２のいずれかに記載の処理装置において、
前記ＣＭメタ情報管理手段は、前記削除指示受付手段が前記削除指示を受付けても、前記削除指示の対象の前記ＣＭメタ情報を記憶し続ける処理装置。
１４．  １３に記載の処理装置において、
前記削除指示受付手段が前記削除指示の入力を受付けても、前記ＣＭメタ情報管理手段は前記削除指示の対象の前記ＣＭメタ情報を記憶し続ける旨を示すメッセージを出力する処理装置。
１５．  １から１４のいずれかに記載の処理装置において、
前記ＣＭ識別情報に対応付けてＣＭ素材を記憶する素材管理手段を有し、
前記素材管理手段は、前記削除指示受付手段が前記削除指示を受付けても、前記削除指示の対象の前記ＣＭメタ情報に関連する前記ＣＭ素材を記憶し続ける処理装置。
１６．  １５に記載の処理装置において、
前記削除指示受付手段が前記削除指示の入力を受付けても、前記素材管理手段は前記削除指示の対象の前記ＣＭメタ情報に関連する前記ＣＭ素材を記憶し続ける旨を示すメッセージを出力する処理装置。
１７．  少なくともＣＭ識別情報を含むＣＭメタ情報を記憶するＣＭメタ情報管理手段と、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段と、
前記ＣＭ管理システムから登録済みの前記ＣＭメタ情報を削除する削除指示の入力を受付ける削除指示受付手段と、
前記ＣＭ管理システムに前記削除指示を送信する削除処理実行手段と、
を有し、
前記ＣＭメタ情報管理手段は、前記削除指示受付手段が前記削除指示を受付けても、前記削除指示の対象の前記ＣＭメタ情報を記憶し続ける処理装置。
１８．  １７に記載の処理装置において、
前記ＣＭ識別情報に対応付けてＣＭ素材を記憶する素材管理手段を有し、
前記素材管理手段は、前記削除指示受付手段が前記削除指示を受付けても、前記削除指示の対象の前記ＣＭメタ情報に関連する前記ＣＭ素材を記憶し続ける処理装置。
１９．  コンピュータが、
少なくともＣＭ識別情報を含むＣＭメタ情報を記憶するＣＭメタ情報管理工程と、
前記ＣＭメタ情報管理工程で記憶された前記ＣＭメタ情報を承認する入力を受付ける処理、及び、承認された前記ＣＭメタ情報をＣＭ管理システムに登録する処理を実行するメタ承認管理工程と、
前記ＣＭ管理システムから登録済みの前記ＣＭメタ情報を削除する削除指示の入力を受付ける削除指示受付工程と、
前記メタ承認管理工程で前記削除指示の対象の前記ＣＭメタ情報に関連した処理を実行済みか否か、を示す第１のステータスを示す情報を取得するステータス取得工程と、
前記ＣＭ管理システムに前記削除指示を送信する処理、及び、前記第１のステータスに応じた処理を実行する削除処理実行工程と、
を実行する処理方法。
２０．  コンピュータを、
少なくともＣＭ識別情報を含むＣＭメタ情報を記憶するＣＭメタ情報管理手段、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段、
前記ＣＭ管理システムから登録済みの前記ＣＭメタ情報を削除する削除指示の入力を受付ける削除指示受付手段、
前記メタ承認管理手段が前記削除指示の対象の前記ＣＭメタ情報に関連した処理を実行済みか否か、を示す第１のステータスを示す情報を取得するステータス取得手段、
前記ＣＭ管理システムに前記削除指示を送信する処理、及び、前記第１のステータスに応じた処理を実行する削除処理実行手段、
として機能させるプログラム。
２１．  コンピュータが、
少なくともＣＭ識別情報を含むＣＭメタ情報を記憶するＣＭメタ情報管理工程と、
前記ＣＭメタ情報管理工程で記憶された前記ＣＭメタ情報を承認する入力を受付ける処理、及び、承認された前記ＣＭメタ情報をＣＭ管理システムに登録する処理を実行するメタ承認管理工程と、
前記ＣＭ管理システムから登録済みの前記ＣＭメタ情報を削除する削除指示の入力を受付ける削除指示受付工程と、
前記ＣＭ管理システムに前記削除指示を送信する削除処理実行工程と、
を実行し、
前記削除指示受付工程で前記削除指示を受付けても、前記削除指示の対象の前記ＣＭメタ情報を記憶し続ける処理方法。
２２．  コンピュータを、
少なくともＣＭ識別情報を含むＣＭメタ情報を記憶するＣＭメタ情報管理手段、
前記ＣＭメタ情報管理手段に記憶されている前記ＣＭメタ情報を承認する入力を受付ける処理、及び、承認された前記ＣＭメタ情報をＣＭ管理システムに登録する処理を実行するメタ承認管理手段、
前記ＣＭ管理システムから登録済みの前記ＣＭメタ情報を削除する削除指示の入力を受付ける削除指示受付手段、
前記ＣＭ管理システムに前記削除指示を送信する削除処理実行手段、
として機能させ、
前記ＣＭメタ情報管理手段は、前記削除指示受付手段が前記削除指示を受付けても、前記削除指示の対象の前記ＣＭメタ情報を記憶し続けるプログラム。
【符号の説明】
【０１２５】
１Ａ    プロセッサ
２Ａ    メモリ
３Ａ    入出力Ｉ／Ｆ
４Ａ    周辺回路
５Ａ    バス
１      処理装置
１０    管理部
１１    ＣＭメタ情報管理部
１２    メタ承認管理部
１３    素材管理部
１４    素材承認管理部
１５    搬入管理部
１６    広告会社管理部
２０    削除指示受付部
３０    ステータス取得部
４０    削除処理実行部
【図１】
2019140639.tif 000003
【図２】
2019140639.tif 000004
【図３】
2019140639.tif 000005
【図４】
2019140639.tif 000006
【図５】
2019140639.tif 000007
【図６】
2019140639.tif 000008
【図７】
2019140639.tif 000009
【図８】
2019140639.tif 000010
【図９】
2019140639.tif 000011
【図１０】
2019140639.tif 000012
【図１１】
2019140639.tif 000013
【図１２】
2019140639.tif 000014
【図１３】
2019140639.tif 000015
【図１４】
2019140639.tif 000016
【図１５】
2019140639.tif 000017
【図１６】
2019140639.tif 000018
【図１７】
2019140639.tif 000019
【図１８】
2019140639.tif 000020
【図１９】
2019140639.tif 000021
【図２０】
2019140639.tif 000022
【図２１】
2019140639.tif 000023
【図２２】
2019140639.tif 000024
【図２３】
2019140639.tif 000025
【図２４】
2019140639.tif 000026
【図２５】
2019140639.tif 000027
【図２６】
2019140639.tif 000028
【図２７】
2019140639.tif 000029
【図２８】
2019140639.tif 000030
【図２９】
2019140639.tif 000031
【図３０】
2019140639.tif 000032